(57)【要約】【課題】ベッドの頭側や脚側に設けたベッド用ボードの取扱いや使い勝手を向上させること。【解決手段】本発明では、背部の受台が起倒可能に形成したベッドの頭側又は／及び脚側に配設するベッド用ボードにおいて、内面側及び外面側に係合部をそれぞれ形成し、２枚のベッド用ボードの内面側の係合部と外面側の係合部とを係合させることにした。また、各ベッド用ボードを自立可能に形成することにした。また、内面側に背部の受台の傾斜状態を視覚的に示すイラストを表示することにした。また、上側両端部に使用者が掴むことができる球状に張出した掴み部を形成することにした。また、上側及び内面側に背部の受台を遠隔操作するためのリモートコントローラに形成した上下の脚体を係入する係入部をそれぞれ形成することにした。また、係入部の下方にリモートコントローラの配線コードを収容する収容部を形成することにした。【選択図】図４
2012254105.tif 000002
【特許請求の範囲】
【請求項１】
背部の受台が起倒可能に形成したベッドの頭側又は／及び脚側に配設するベッド用ボードにおいて、
内面側及び外面側に係合部をそれぞれ形成し、２枚のベッド用ボードの内面側の係合部と外面側の係合部とを係合させることができるように構成したことを特徴とするベッド用ボード。
【請求項２】
前記係合部を内面側の背部受台又は下腿部受台と対向する位置に凸状に形成したことを特徴とする請求項１に記載のベッド用ボード。
【請求項３】
前記各ベッド用ボードを自立可能に形成したことを特徴とする請求項１又は請求項２に記載のベッド用ボード。
【請求項４】
内面側に背部の受台の傾斜状態を視覚的に示すイラストを表示したことを特徴とする請求項１〜請求項３のいずれかに記載のベッド用ボード。
【請求項５】
上側両端部に使用者が掴むことができる球状に張出した掴み部を形成したことを特徴とする請求項１〜請求項４のいずれかに記載のベッド用ボード。
【請求項６】
上側及び内面側に背部の受台を遠隔操作するためのリモートコントローラに形成した上下の脚体を係入する係入部をそれぞれ形成したことを特徴とする請求項１〜請求項５のいずれかに記載のベッド用ボード。
【請求項７】
前記係入部の下方にリモートコントローラの配線コードを収容する収容部を形成したことを特徴とする請求項６に記載のベッド用ボード。
【発明の詳細な説明】
【技術分野】
【０００１】
本発明は、背部の受台が起倒可能に形成したベッドの頭側や脚側に配設したベッド用ボードに関するものである。
【背景技術】
【０００２】
従来より、介護ベッドとして使用されるリクライニング式のベッドは、使用者の背部や脚部を受ける受台を起倒させたり昇降させることができるように構成している（たとえば、特許文献１参照。）。
【０００３】
このリクライニング式のベッドは、使用者の頭側にヘッドボードを設けるとともに、使用者の脚側にフットボードを設けており、これらのヘッドボード及びフットボード（ベッド用ボード）をベッド本体に取付けてベッドを組み立てるように構成している。
【先行技術文献】
【特許文献】
【０００４】
【特許文献１】特開２００４−１６６３５号公報
【発明の概要】
【発明が解決しようとする課題】
【０００５】
上記ベッド用ボードでは、ヘッドボードとフットボードの２枚のベッド用ボードを容易に運搬することができ、また、複数枚のベッド用ボードをまとめて安全に収容しておけるようにすることが望まれている。
【０００６】
また、ベッド用ボードでは、１枚のベッド用ボードを自立させて載置できるようにすることが望まれている。
【０００７】
また、ベッド用ボードでは、使用者や介護者が背部の受台の傾斜状態を容易に認識できるようにすることが望まれている。
【０００８】
また、ベッド用ボードでは、使用者が移動時に手摺代わりに使用する際にベッド用ボードの端部であることを認識できるようにすることが望まれている。
【０００９】
また、ベッド用ボードでは、リモートコントローラを装着して操作できるようにすることが望まれている。
【００１０】
さらに、ベッド用ボードでは、リモートコントローラを装着した際に配線コードが使用者の背中の下に入り込んで使用者に不快感を与えてしまうことが無いようにすることが望まれている。
【課題を解決するための手段】
【００１１】
そこで、請求項１に係る本発明では、背部の受台が起倒可能に形成したベッドの頭側又は／及び脚側に配設するベッド用ボードにおいて、内面側及び外面側に係合部をそれぞれ形成し、２枚のベッド用ボードの内面側の係合部と外面側の係合部とを係合させることができるように構成することにした。
【００１２】
また、請求項２に係る本発明では、前記請求項１に係る本発明において、前記係合部を内面側の背部受台又は下腿部受台と対向する位置に凸状に形成することにした。
【００１３】
また、請求項３に係る本発明では、前記請求項１又は請求項２に係る本発明において、前記各ベッド用ボードを自立可能に形成することにした。
【００１４】
また、請求項４に係る本発明では、前記請求項１〜請求項３のいずれかに係る本発明において、内面側に背部の受台の傾斜状態を視覚的に示すイラストを表示することにした。
【００１５】
また、請求項５に係る本発明では、前記請求項１〜請求項４のいずれかに係る本発明において、上側両端部に使用者が掴むことができる球状に張出した掴み部を形成することにした。
【００１６】
また、請求項６に係る本発明では、前記請求項１〜請求項５のいずれかに係る本発明において、上側及び内面側に背部の受台を遠隔操作するためのリモートコントローラに形成した上下の脚体を係入する係入部をそれぞれ形成することにした。
【００１７】
また、請求項７に係る本発明では、前記請求項６に係る本発明において、前記係入部の下方にリモートコントローラの配線コードを収容する収容部を形成することにした。
【発明の効果】
【００１８】
そして、本発明では、以下に記載する効果を奏する。
【００１９】
すなわち、本発明では、背部の受台が起倒可能に形成したベッドの頭側又は／及び脚側に配設するベッド用ボードにおいて、内面側及び外面側に係合部をそれぞれ形成し、２枚のベッド用ボードの内面側の係合部と外面側の係合部とを係合させることができるように構成することにしているために、２枚のベッド用ボードを重ねて運搬することができるので、ベッド用ボードの運搬が容易なものとなるとともに、複数枚のベッド用ボードを重ねて収容しても落ちることが少なく、安全に収容することができる。
【００２０】
また、本発明では、係合部を内面側の背部受台又は下腿部受台と対向する位置に凸状に形成することにしているために、ベッド用ボードと背部受台や下腿部受台との間に形成された係合部によってベッド用ボードと背部受台や下腿部受台との隙間が狭くなり、手や足などが挟まりにくくなって安全性を向上させることができる。
【００２１】
また、本発明では、各ベッド用ボードを自立可能に形成することにしているために、ベッド用ボードを立てた状態で収容することもでき、また、組立て搬入時にも倒れにくい形状のため、より安心して納品作業ができる。
【００２２】
また、本発明では、内面側に背部の受台の傾斜状態を視覚的に示すイラストを表示することにしているために、使用者や介護者が背部の受台の傾斜状態を視覚的に容易に認識することができて使い勝手を向上させることができる。
【００２３】
また、本発明では、上側両端部に使用者が掴むことができる球状に張出した掴み部を形成することにしているために、ベッド用ボードを手摺代わりに利用して移動する際にベッド用ボードの端部であることを認識しやすくなるとともに、球状の掴み部が掴みやすく力が入りやすく掴んだ手を捩じることなく手のひら内で容易に回転させることができる。
【００２４】
また、本発明では、上側及び内面側に背部の受台を遠隔操作するためのリモートコントローラに形成した上下の脚体を係入する係入部をそれぞれ形成することにしているために、ベッド用ボードにリモートコントローラを装着しておくことができ、装着した状態でリモートコントローラを操作することもでき、使い勝手を向上させることができる。
【００２５】
また、本発明では、係入部の下方にリモートコントローラの配線コードを収容する収容部を形成することにしているために、使用者の背中と背部の受台との間に配線コードが入り込んで使用者に不快感を与えてしまうのを防止することができる。
【図面の簡単な説明】
【００２６】
【図１】ベッド用ボードを装着したベッドを示す平面模式図。
【図２】同側面模式図。
【図３】リモートコントローラを示す正面図（ａ）、背面図（ｂ）、側面図（ｃ）。
【図４】ベッド用ボードを示す内面側斜視図（ａ）、外面側斜視図（ｂ）。
【図５】ベッド用ボードにリモートコントローラを装着した状態を示す側面断面図。
【発明を実施するための形態】
【００２７】
以下に、本発明に係るベッド用ボードの具体的な構成について図面を参照しながら説明する。
【００２８】
図１及び図２に示すように、本発明に係るベッド用ボードを装着したリクライニング式のベッド１は、基台２の上部に横臥台３を取付け、横臥台３の上部に受台４を取付けるとともに、横臥台３の側部に側柵５を取付け、さらに、横臥台３の頭側端部にベッド用ボードとしてヘッドボード６を取付けるとともに、横臥台３の脚側端部にベッド用ボードとしてフットボード７を取付けている。
【００２９】
ここで、受台４は、使用者の背中部分を受ける背部受台８と、使用者の尻部分を受ける尻部受台９と、使用者の大腿部分を受ける大腿部受台10と、使用者の下腿部分を受ける下腿部受台11とで構成しており、横臥台３に背部受台８と大腿部受台10とを起倒自在に取付けるとともに、大腿部受台10に下腿部受台11を起倒自在に取付けている。また、側柵５は、４本の円形パイプ状の横桟12〜15を上下に等間隔に並べて配置している。
【００３０】
そして、ベッド１は、基台２と横臥台３との間に昇降機構16を介設し、横臥台３と背部受台８との間に背部起倒機構17を介設し、横臥台３と大腿部受台10との間に脚部起倒機構18を介設しており、これらの昇降機構16・背部起倒機構17・脚部起倒機構18に制御機構19を接続し、制御機構19にリモートコントローラ20を接続している。これにより、ベッド１は、リモートコントローラ20を操作することによって、制御機構19で昇降機構16を昇降制御して受台４を昇降させたり、或いは、制御機構19で背部起倒機構17や脚部起倒機構18を起倒制御して背部受台８や大腿部・下腿部受台10,11を起倒させることができるようにしている。
【００３１】
リモートコントローラ20は、図３に示すように、上下に伸延させた概略箱型状のコントローラー本体21の後面に脚体22,23を上下に間隔をあけて取付けるとともに、上側の脚体22にフック24を取付けている。
【００３２】
コントローラー本体21は、前面に凹部25を形成し、凹部25の内部に操作ボタン26〜33を左右に２個ずつ並べて４列に配置している。
【００３３】
脚体22,23は、上下面に側面視で凹状にくびれさせた形状の係止部34を形成して側柵５の横桟12〜15に係止可能とするとともに、上下の間隔を横桟12〜15の上下の間隔と同一の間隔としており、上下の脚体22,23の間隔の間に操作ボタン26〜33を配置している。
【００３４】
フック24は、可撓性を有する板状体で形成するとともに、上端部に円弧状の係止部35を形成してヘッドボード６やフットボード７や側柵５の横桟12〜15に係止可能とし、この係止部35と上側の脚体22の係止部34との上下の間隔も横桟12〜15の上下の間隔と同一の間隔としている。
【００３５】
これにより、リモートコントローラ20は、側柵５の横桟12〜15にそれぞれ上下の脚体22,23及びフック24を係止させた状態で側柵５に引掛けておくことができるようになっている。
【００３６】
ベッド用ボードは、図４に示すように、ヘッドボード６とフットボード７を同一構造のものとしており、概略矩形板状のボード本体36の上端部に沿って水平に伸延する円柱状の手摺部37を形成するとともに、ボード本体36の手摺部37の両端に球状に張出した掴み部38を形成している。
【００３７】
このように、ベッド用ボードは、上側両端部に使用者が掴むことができる球状に張出した掴み部38を形成しているために、ベッド用ボードを手摺代わりに利用して移動する際にベッド用ボードの端部であることを認識できるようにしている。
【００３８】
掴み部38は、断面正円形の球状に形成しているが、断面楕円形の球状などとしてもよい。掴み部38を断面正円形の球状とすることで、掴みやすく力が入りやすくなるとともに、掴み部38を掴んだ手を捩じることなく手のひら内で回転させることができる。
【００３９】
また、ベッド用ボードは、ボード本体36の内面側左右端部に背部受台８の傾斜状態を視覚的に示すイラストを表示する傾斜状態表示部39を形成している。
【００４０】
傾斜状態表示部39は、背部受台８の傾斜角度を複数の角度範囲に分割し、各角度範囲毎に異なるイラストを表示するようにしており、背部受台８の上端部が位置する場所に上から太陽、星、月を表すイラストを形成している。イラストは様々な形状のものが考えられるが、ここでは、就寝時の背部受台８の好ましい角度として夜をイメージしやすい月で示し、日中の休憩時等の背部受台８の好ましい角度として昼をイメージしやすい太陽で示し、それらの中間を星で示すようにしている。
【００４１】
このように、ベッド用ボードは、内面側に背部受台８の傾斜状態を視覚的に示すイラストを表示しているために、イラストを目視するだけで使用者や介護者が背部受台８の傾斜状態を視覚的に容易に認識することができ、ベッド１の使い勝手を向上させている。
【００４２】
また、ベッド用ボードは、ボード本体36の内面側の左右側部及び下部に凸状の係合部40,41,42を形成するとともに、外面側の左右側部及び下部に凹状の係合部43,44,45を形成し、内面側の係合部40,41,42と外面側の係合部43,44,45とを対応する位置に配置することで、２枚のベッド用ボード（たとえば、ヘッドボード６とフットボード７。）の内面側の係合部40,41,42と外面側の係合部43,44,45とを係合させることができるようにしている。なお、内面側の係合部40,41,42と外面側の係合部43,44,45とは、重ね合わせた２枚のベッド用ボードが上下左右にずれない程度に緩やかに係合できればよい。ボード本体36は、内面側の中央上部及び中央下部に指を挿入するための凹部46,47を形成するとともに、底面で床等に自立できるようにしている。
【００４３】
このように、ベッド用ボードは、内面側及び外面側に係合部40〜45をそれぞれ形成し、２枚のベッド用ボードの内面側の係合部40,41,42と外面側の係合部43,44,45とを係合させることができるように構成しているために、２枚のベッド用ボードを重ねて運搬することができてベッド用ボードの運搬が容易なものとすることができるとともに、複数枚のベッド用ボードを重ねて収容しても落ちることが少なく、安全に収容することができるようになっている。特に、係合部42を内面側の背部受台８又は下腿部受台11と対向する位置に凸状に形成した場合には、ベッド用ボード（ヘッドボード６やフットボード７）と背部受台８や下腿部受台11との間に形成された係合部42によってベッド用ボード（ヘッドボード６やフットボード７）と背部受台８や下腿部受台11との隙間が狭くなり、手や足などが挟まりにくくなって安全性を向上させることができる。さらに、各ベッド用ボードを自立可能に形成した場合には、ベッド用ボードを立てた状態で収容することもでき、また、組立て搬入時にも倒れにくい形状のため、より安心して納品作業ができる。
【００４４】
また、ベッド用ボードは、ボード本体36の上端部と内面側上部にリモートコントローラ20の脚体22,23を係入するための上下一対の凹状の係入部48,49を左右にそれぞれ形成し、図５に示すように、ボード本体36の上端部の係入部48にリモートコントローラ20の上側の脚体22を係入するとともに、内面側上部の係入部49にリモートコントローラ20の下側の脚体23を係入することで、ボード本体36の上部にリモートコントローラ20を安定させた状態で装着することができるようにしている。
【００４５】
このように、ベッド用ボードは、上側及び内面側にベッド１を遠隔操作するためのリモートコントローラ20に形成した上下の脚体22,23を係入する係入部48,49をそれぞれ形成しているために、ベッド用ボードにリモートコントローラ20を装着しておくことができ、装着した状態でリモートコントローラ20を操作することもでき、ベッド１の使い勝手を向上させている。
【００４６】
さらに、ベッド用ボードは、ボード本体36に形成したリモートコントローラ20を装着するための係入部49の下方にリモートコントローラ20の配線コード50を収容するための上下に伸延する凹溝状の収容部51を形成している。
【００４７】
このように、ベッド用ボードは、リモートコントローラ20を係入する係入部49の下方にリモートコントローラ20の配線コード50を収容する収容部51を形成しているために、使用者の背中と背部受台８との間に配線コード50が入り込んで使用者に不快感を与えてしまうのを防止するようにしている。
【符号の説明】
【００４８】
１  ベッド                                ２  基台
３  横臥台                                ４  受台
５  側柵                                  ６  ヘッドボード
７  フットボード                          ８  背部受台
９  尻部受台                              10  大腿部受台
11  下腿部受台                            12〜15  横桟
16  昇降機構                              17  背部起倒機構
18  脚部起倒機構                          19  制御機構
20  リモートコントローラ                  21  コントローラー本体
22,23  脚体                               24  フック
25  凹部                                  26〜33  操作ボタン
34  係止部                                35  係止部
36  ボード本体                            37  手摺部
38  掴み部                                39  傾斜状態表示部
40〜45  係合部                            46,47  凹部
48,49  係入部                            50  配線コード
51  収容部
【図１】
2012254105.tif 000003
【図２】
2012254105.tif 000004
【図３】
2012254105.tif 000005
【図４】
2012254105.tif 000006
【図５】
2012254105.tif 000007
【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
背部の受台が起倒可能に形成したベッドの頭側又は／及び脚側に配設するベッド用ボードにおいて、
内面側及び外面側に係合部をそれぞれ形成するとともに、各ベッド用ボードを底面で自立可能に形成し、そのまま２枚のベッド用ボードの内面側の係合部と外面側の係合部とを係合させることができるように構成したことを特徴とするベッド用ボード。
【請求項２】
前記係合部を内面側下部の背部受台又は下腿部受台と対向する位置に凸状に形成するとともに、内面側下部の係合部に係合する凹状の係合部を外面側下部に形成したことを特徴とする請求項１に記載のベッド用ボード。
【請求項３】
前記係合部を内面側左右側部及び外面側左右側部にも形成したことを特徴とする請求項２に記載のベッド用ボード。
【請求項４】
内面側に背部の受台の傾斜状態を視覚的に示すイラストを表示したことを特徴とする請求項１〜請求項３のいずれかに記載のベッド用ボード。
【請求項５】
上側両端部に使用者が掴むことができる球状に張出した掴み部を形成したことを特徴とする請求項１〜請求項４のいずれかに記載のベッド用ボード。
【請求項６】
上側及び内面側に背部の受台を遠隔操作するためのリモートコントローラに形成した上下の脚体を係入する係入部をそれぞれ形成したことを特徴とする請求項１〜請求項５のいずれかに記載のベッド用ボード。
【請求項７】
前記係入部の下方にリモートコントローラの配線コードを収容する収容部を形成したことを特徴とする請求項６に記載のベッド用ボード。
【手続補正２】
【補正対象書類名】明細書
【補正対象項目名】００１１
【補正方法】変更
【補正の内容】
【００１１】
そこで、請求項１に係る本発明では、背部の受台が起倒可能に形成したベッドの頭側又は／及び脚側に配設するベッド用ボードにおいて、内面側及び外面側に係合部をそれぞれ形成するとともに、各ベッド用ボードを底面で自立可能に形成し、そのまま２枚のベッド用ボードの内面側の係合部と外面側の係合部とを係合させることができるように構成することにした。
【手続補正３】
【補正対象書類名】明細書
【補正対象項目名】００１２
【補正方法】変更
【補正の内容】
【００１２】
また、請求項２に係る本発明では、前記請求項１に係る本発明において、前記係合部を内面側下部の背部受台又は下腿部受台と対向する位置に凸状に形成するとともに、内面側下部の係合部に係合する凹状の係合部を外面側下部に形成することにした。
【手続補正４】
【補正対象書類名】明細書
【補正対象項目名】００１３
【補正方法】変更
【補正の内容】
【００１３】
また、請求項３に係る本発明では、前記請求項２に係る本発明において、前記係合部を内面側左右側部及び外面側左右側部にも形成することにした。